(57)【要約】      （修正有）【課題】ハンドルを回転操作することが困難な使用者でも容易に戸体を開放させることができると共に、必要に応じてハンドルを手動で回転操作することにより戸体を開放させることができる建具を提供する。【解決手段】戸尻側を支点として開閉可能な戸体と、戸体に回転可能に設けられるハンドル４と、戸体の戸先側端面に、ハンドル４の回転に連動して出没可能に設けられる出没体６１と、戸先側端面から突出した出没体６１を受け入れることにより戸体をロックする出没体受けと、を備える建具であって、センサ感知部を有する静電容量式タッチセンサ９と、センサ感知部の接触感知により駆動して出没体６１の退没方向への移動力を発生させる移動手段８と、移動手段８の移動力を出没体６１に伝達可能に設けられる移動力伝達手段８４と、を更に備える。【選択図】図３
2019210619.tif 000002
【特許請求の範囲】
【請求項１】
戸尻側を支点として開閉可能な戸体と、
前記戸体に回転可能に設けられるハンドルと、
前記戸体の戸先側端面に、前記ハンドルの回転に連動して出没可能に設けられる出没体と、
前記戸先側端面から突出した前記出没体を受け入れることにより前記戸体をロックする出没体受けと、を備える建具であって、
センサ感知部を有する静電容量式タッチセンサと、
前記センサ感知部の接触感知により駆動して前記出没体の退没方向への移動力を発生させる移動手段と、
前記移動手段の移動力を前記出没体に伝達可能に設けられる移動力伝達手段と、を更に備える、建具。
【請求項２】
前記センサ感知部は、前記ハンドルにより構成される、請求項１に記載の建具。
【請求項３】
前記移動手段は、前記センサ感知部の接触感知によりピンを伸長又は収縮させるように駆動するソレノイドを含む、請求項１又は２に記載の建具。
【請求項４】
前記移動力伝達手段は、前記ハンドルの回転時の前記出没体の退没方向の移動力を前記移動手段に作用させないように設けられる、請求項１〜３のいずれか１項に記載の建具。
【請求項５】
前記移動力伝達手段は、前記出没体と前記移動手段とを連結するワイヤにより構成される、請求項４に記載の建具。
【発明の詳細な説明】
【技術分野】
【０００１】
本発明は、戸体に設けられたハンドルを回転操作することにより解錠される建具に関する。
【背景技術】
【０００２】
従来、戸体に設けられるハンドル（握り玉やレバーハンドル等）を握って回転操作することによりラッチ錠を解錠させ、戸体の戸尻側を支点として押して又は引いて開放させるように構成される建具が知られている（例えば、特許文献１等参照）。一般に、このような建具は、戸体の戸先側端面に出没可能な出没体（ラッチ）を有し、ハンドルの回転操作によって出没体を退没方向に移動させることにより解錠するように構成される。
【先行技術文献】
【特許文献】
【０００３】
【特許文献１】特開２０００−２９１２９８号公報
【発明の概要】
【発明が解決しようとする課題】
【０００４】
上記従来の建具は、戸体を解錠するためにハンドルを握って回転操作する必要がある。しかし、例えばリウマチ等により手が不自由な人にとっては、ハンドルを握って回転操作すること自体が困難であるという問題がある。
【０００５】
このような問題は、一般に、電気的に駆動される移動手段によって出没体を出没可能に構成することにより解決される。しかし、出没体を電気的に出没させる場合、電池切れ（停電）の際に解錠できなくなる問題がある。また、戸体が風圧を受けると、出没体が戸枠側に設けられる出没体受け（ストライク）に対して強く圧接される場合がある。このとき、出没体と出没体受けとの間で生じる摩擦抵抗が移動手段のトルクに勝る場合、出没体を電気的に退没させて解錠させることができなくなる問題もある。
【０００６】
このため、従来、ハンドルを回転操作することが困難な使用者でも容易に戸体を開放させることができると共に、必要に応じてハンドルを手動で回転操作することにより戸体を開放させることができるようにすることが望まれていた。
【０００７】
即ち、本発明は、ハンドルを回転操作することが困難な使用者でも容易に戸体を開放させることができると共に、必要に応じてハンドルを手動で回転操作することにより戸体を開放させることができる建具を提供することを目的とする。
【課題を解決するための手段】
【０００８】
（１）  本発明に係る建具は、戸尻側を支点として開閉可能な戸体（例えば、後述の戸体３）と、前記戸体に回転可能に設けられるハンドル（例えば、後述のハンドル４）と、前記戸体の戸先側端面（例えば、後述の戸先側端面３ａ）に、前記ハンドルの回転に連動して出没可能に設けられる出没体（例えば、後述のラッチ部６１）と、前記戸先側端面から突出した前記出没体を受け入れることにより前記戸体をロックする出没体受け（例えば、後述のストライク２５）と、を備える建具（例えば、後述の建具１）であって、センサ感知部（例えば、後述のハンドル４）を有する静電容量式タッチセンサ（例えば、後述のタッチセンサ９）と、前記センサ感知部の接触感知により駆動して前記出没体の退没方向への移動力を発生させる移動手段（例えば、後述のソレノイド８）と、前記移動手段の移動力を前記出没体に伝達可能に設けられる移動力伝達手段（例えば、後述のワイヤ８４）と、を更に備える。
【０００９】
（２）  （１）に記載の建具において、前記センサ感知部は、前記ハンドルにより構成されることが好ましい。
【００１０】
（３）  （１）又は（２）に記載の建具において、前記移動手段は、前記センサ感知部の接触感知によりピン（例えば、後述のピン８２）を伸長又は収縮させるように駆動するソレノイド（例えば、後述のソレノイド８）を含むことが好ましい。
【００１１】
（４）  （１）〜（３）のいずれかに記載の建具において、前記移動力伝達手段は、前記ハンドルの回転時の前記出没体の退没方向の移動力を前記移動手段に作用させないように設けられることが好ましい。
【００１２】
（５）  （４）に記載の建具において、前記移動力伝達手段は、前記出没体と前記移動手段とを連結するワイヤ（例えば、後述のワイヤ８４）により構成されることが好ましい。
【発明の効果】
【００１３】
本発明によれば、ハンドルを回転操作することが困難な使用者でも容易に戸体を開放させることができると共に、必要に応じてハンドルを手動で回転操作することにより戸体を開放させることができる建具を提供することができる。
【図面の簡単な説明】
【００１４】
【図１】本発明の一実施形態に係る建具を示す正面図である。
【図２】本発明の一実施形態に係る建具の戸体の戸先側と戸枠との突合せ面を示す部分斜視図である。
【図３】本発明の一実施形態に係る建具の要部を示す構成図である。
【図４】本発明の一実施形態に係る建具の動作説明図である。
【図５】本発明の一実施形態に係る建具の動作説明図である。
【図６】本発明の一実施形態に係る建具の動作説明図である。
【発明を実施するための形態】
【００１５】
以下、本発明の実施形態について図面を参照して詳細に説明する。
図１は、本発明の一実施形態に係る建具を示す正面図である。図２は、本発明の一実施形態に係る建具の戸体の戸先側と戸枠との突合せ面を示す部分斜視図である。図３は、本発明の一実施形態に係る建具の要部を示す構成図である。
本実施形態に示す建具１は、戸枠２と、戸体３と、を備える。
【００１６】
戸枠２は、上枠２１と、下枠２２と、左右の縦枠２３、２４と、を有し、これらが枠組みされることにより、その内側に矩形の開口部２０を形成する。
【００１７】
戸体３は、開口部２０を閉鎖するように戸枠２内に配置される。戸体３は、その戸尻側（図１における右側）に設けられたヒンジ３１を介して縦枠２４に取り付けられる。これにより、戸体３は、戸枠２に対してヒンジ３１を支点として回動し、開口部２０を開閉可能に設けられる。
【００１８】
なお、本実施形態に示す建具１は、図１に示す戸体３を戸枠２に対して手前に引くことにより開放するように構成される。この戸体３において、図１に見えている面を正面、その反対側に配置されて見えていない面を背面とする。
【００１９】
戸体３にはハンドル４が設けられる。ハンドル４は、使用者が握って回転操作することにより、戸体３の開閉操作を行うためのものであり、戸体３の正面及び背面にそれぞれ突出するように設けられる。本実施形態に示すハンドル４は、図２及び図３に示すように、ステンレス等の金属製の握り玉タイプのハンドルにより構成される。このハンドル４は、戸体３の正面側に配置される握り玉部４１Ａと、戸体３の背面側に配置される握り玉部４１Ｂと、これら握り玉部４１Ａ、４１Ｂ間を一体に連結する金属製の角棒部４２と、戸体３に対する貫通部位を目隠しする金属製の丸座４３Ａ、４３Ｂと、を有する。角棒部４２は、ハンドル４の回転軸であり、戸体３及び後述のラッチ錠５を貫通して配置される。
【００２０】
戸体３の戸先側（図１における左側）の内部には、ラッチ錠５が配置される。ラッチ錠５は、図３に示すように、主として、ラッチボルト６と、リンク機構部７と、ソレノイド８と、を有する。なお、ハンドル４は、このラッチ錠５に係合して設けられるが、説明の便宜のため、図３ではハンドル４とラッチ錠５とを別々に図示した。また、ラッチ錠５の説明において、「前」は戸体３の戸先側を指し、「後」は戸体３の戸尻側を指すものとする。また、「上」「下」は、床面に対する鉛直方向に沿う上下を指すものとする。
【００２１】
ラッチ錠５は、主要部品を収容して戸体３内に配置される錠箱５１を有する。錠箱５１の前面側には前面板５２が設けられる。この前面板５２は、戸体３の戸先側端面３ａに露出して配置され、取付けねじ５３により戸先側端面３ａに固定される。
【００２２】
ラッチボルト６は、ラッチ錠５の前面板５２に出没可能に配置される。ラッチボルト６は、ラッチ部６１と、このラッチ部６１から錠箱５１内に延びるラッチ軸部６２と、を有する。ラッチ部６１は、本発明における出没体に対応する。図２及び図３は、ラッチ部６１が前面板５２から突出した状態を示している。
【００２３】
戸体３の戸先側に配置される縦枠２３には、図２に示すように、ラッチ部６１に対応するようにストライク２５が設けられる。前面板５２から突出したラッチ部６１は、戸体３が閉じられた際に、このストライク２５の開口部２５１に収容されることにより、戸体３を戸枠２にロックするように機能する。
【００２４】
ラッチ部６１は、図２に示すように、ロック面６１Ａと、カム面６１Ｂと、を有する。ロック面６１Ａは正面側に配置され、前面板５２から略垂直に（戸体３の正面に略平行に）延びる平面とされる。一方、カム面６１Ｂは背面側に配置され、ロック面６１Ａの前端から前面板５２にかけて略円弧状に湾曲する曲面とされる。
【００２５】
ラッチ軸部６２は、ラッチ部６１から後方に延びる棒状体により構成される。ラッチ軸部６２は、錠箱５１の内側面５１ａに突設される支持凸部５４により、ラッチ軸部６２の長さ方向の略中央部を上下から挟持されて摺動可能に支持される。
【００２６】
ラッチ軸部６２の外周には、コイルばね６３が嵌挿され、ラッチ部６１と支持凸部５４との間に架け渡されて配置されている。コイルばね６３は、ラッチボルト６が後方に移動してラッチ部６１が退没した際に、ラッチ部６１と支持凸部５４との間で圧縮され、ラッチ部６１に対して前面板５２から突出する方向に付勢力を作用させる。また、ラッチ軸部６２の後端には、ラッチ軸部６２よりも大径なストッパ部６４が一体に設けられている。
【００２７】
なお、前面板５２には、後方に向けて突出するガイド筒部５５を有する。ラッチボルト６のラッチ部６１は、ガイド筒部５５内に収容され、このガイド筒部５５によって突出方向及び退没方向の移動がガイドされるようになっている。
【００２８】
リンク機構部７は、錠箱５１内に設けられ、戸体３のハンドル４の回転をラッチボルト６に伝達させ、手動によるハンドル４の回転操作に連動してラッチボルト６を後方に移動させるように機能する。本実施形態に示すリンク機構部７は、軸孔部材７１と、スライド部材７２と、レバー部材７３と、アーム部材７４と、を有する。
【００２９】
軸孔部材７１は、錠箱５１内において、ラッチボルト６のラッチ軸部６２の後端下方に配置される。軸孔部材７１は、戸体３の正面と背面とに亘る錠箱５１の幅方向に貫通する矩形の軸孔７１１を有する。軸孔７１１には、ハンドル４の角棒部４２が挿通される。また、軸孔部材７１には、軸孔７１１よりもやや前方の外周面から上方及び下方に向けてそれぞれ突出する一対の爪部７１２ａ、７１２ｂを有する。この軸孔部材７１は、軸孔７１１を中心にして、図３における時計方向及び反時計方向に回転可能に設けられる。
【００３０】
スライド部材７２は、錠箱５１内において、ラッチボルト６のラッチ軸部６２と略平行に延びる一対のスライド板７２１ａ、７２１ｂと、これらスライド板７２１ａ、７２１ｂの前端同士を連結する連結板７２２と、を有する。スライド部材７２は、一対のスライド板７２１ａ、７２１ｂが、軸孔部材７１を上下から挟むように錠箱５１内に配置される。
【００３１】
スライド部材７２の連結板７２２には、ばね受け７２３が設けられる。また、この連結板７２２と軸孔部材７１との間には、錠箱５１の内側面５１ａに突設されるばね受け凸部５６が配置される。そして、ばね受け７２３とばね受け凸部５６との間に、コイルばね７２４が配置され、スライド部材７２を前面板５２に向けて前方に付勢している。
【００３２】
なお、スライド部材７２の上側のスライド板７２１ａの後端部には、上方に向けてＬ字状に屈曲されたストッパ部７２５が設けられている。ストッパ部７２５は、錠箱５１の内側面５１ａに突設された位置決め凸部５７に当接することにより、スライド部材７２の前方へのスライド移動の範囲を規制する。
【００３３】
スライド部材７２の上側のスライド板７２１ａには、切欠部７２６が設けられる。軸孔部材７１の上側の爪部７１２ａは、この切欠部７２６内に収容されるように配置される。軸孔部材７１の上側の爪部７１２ａは、スライド部材７２がコイルばね７２４の付勢力によって最も前方に位置し、且つ、ハンドル４が回転操作されていない状態（以下、この状態をラッチ錠５の定常状態という。）で、切欠部７２６の後縁部７２６ａに当接又は近接するように配置される。
【００３４】
スライド部材７２の下側のスライド板７２１ｂには、切欠部７２７が設けられる。軸孔部材７１の下側の爪部７１２ｂは、この切欠部７２７内に収容されるように配置される。軸孔部材７１の下側の爪部７１２ｂは、ラッチ錠５の定常状態で、切欠部７２７の後縁部７２７ａに当接又は近接するように配置される。
【００３５】
これにより、軸孔部材７１が、ハンドル４の回転操作によって図３における時計方向又は反時計方向に回転した際、軸孔部材７１の上側の爪部７１２ａ又は下側の爪部７１２ｂが、切欠部７２６の後縁部７２６ａ又は切欠部７２７の後縁部７２７ａを後方に向けて押圧する。これにより、スライド部材７２は、コイルばね７２４の付勢力に抗して後方に向けてスライド移動するようになっている。
【００３６】
レバー部材７３は、一対のスライド板７２１ａ、７２１ｂの間、且つ、軸孔部材７１とばね受け凸部５６との間、に配置される回動軸７３１に回動可能に設けられる。レバー部材７３は、回動軸７３１から上側のスライド板７２１ａの切欠部７２６内を通って、ラッチボルト６のラッチ軸部６２よりも更に上方に延びるように配置される。回動軸７３１よりも上方のレバー部材７３の前側縁部７３ａは、ラッチ錠５の定常状態で、切欠部７２６の前縁部７２６ｂに当接又は近接している。
【００３７】
アーム部材７４は、ラッチボルト６のラッチ軸部６２よりも上方に、ラッチ軸部６２の延び方向に沿って延びるガイド部７４１と、このガイド部７４１の後端から下方に延びる連結腕部７４２とを一体に有する略Ｌ字型に形成される。レバー部材７３の上端部７３２は、ガイド部７４１の後端に設けられる連結軸７４３に緩く嵌合するように連結される。連結軸７４３は、レバー部材７３及びアーム部材７４を貫通し、錠箱５１の内側面５１ａに設けられるガイド溝５８内に配置され、このガイド溝５８に沿って前後方向に摺動可能に設けられる。
【００３８】
アーム部材７４のガイド部７４１は、ガイド部７４１の延び方向に沿う長穴状のガイド孔７４４を有する。このガイド孔７４４内には、錠箱５１の内側面５１ａに突設されるガイドピン５９が摺動可能に嵌合している。また、アーム部材７４の連結腕部７４２の先端には軸係合部７４５が設けられる。この軸係合部７４５は、支持凸部５４よりも後方において、ラッチ軸部６２の外周面に嵌合することにより、ラッチ軸部６２に対して摺動可能に係合している。ラッチ軸部６２のストッパ部６４は、この軸係合部７４５よりも大径に形成され、軸係合部７４５よりも後方に配置されている。このため、アーム部材７４がラッチ軸部６２よりも後方側に抜け出てしまうことはない。この軸係合部７４５は、ラッチ錠５の定常状態で、ストッパ部６４に当接又は近接するように配置される。
【００３９】
ソレノイド８は、ラッチボルト６をハンドル４の回転操作に依らずに後方に向けて移動させるように機能する。このソレノイド８は、本発明の移動手段に対応する。ソレノイド８は、ソレノイド本体８１と、ピン８２と、付勢ばね８３と、を有し、非通電時に、付勢ばね８３の付勢力により、ピン８２をソレノイド本体８１から突出させた伸長状態とし、通電時に、ピン８２を付勢ばね８３の付勢力に抗して収縮させるタイプのソレノイドである。ソレノイド８は、ソレノイド本体８１に対してピン８２が前方を向くように、ラッチボルト６の後方の所定の位置に固定される。本実施形態では、ソレノイド８は、錠箱５１の外部に配置されるが、錠箱５１の内部に配置されてもよい。
【００４０】
ソレノイド８のピン８２とラッチボルト６とは、ワイヤ８４により連結される。ワイヤ８４は、ソレノイド８のピン８２が収縮動作した際の移動力を、ラッチボルト６に伝達させ、ピン８２の収縮動作に連動してラッチボルト６を後方に移動させ、ラッチ部６１を退没方向に移動させる。従って、本実施形態のワイヤ８４は、本発明の移動力伝達手段に対応する。
【００４１】
錠箱５１の後壁面５１ｂには、貫通穴５１ｃが形成される。ワイヤ８４は、この貫通穴５１ｃを通って、ピン８２とラッチボルト６とを連結している。ワイヤ８４は、図３に示すように、ラッチ錠５の定常状態で、且つ、ソレノイド８のピン８２が伸長した非通電時で、ほぼ伸張状態となるようにピン８２とラッチボルト６とに架け渡される。
【００４２】
ラッチ錠５と同様に、戸体３内には、静電容量式タッチセンサ９（以下、タッチセンサ９という。）が設けられる。タッチセンサ９は、センサ感知部と人体（手）との間に発生する静電容量の変化によって人体（手）の接触を感知することにより、制御信号を出力するように駆動する。タッチセンサ９は、制御基盤９１と、電源部９２と、センサ感知部と、を有する。制御基盤９１は、例えば電池からなる電源部９２から電源供給されて動作する。
【００４３】
センサ感知部は、人体（手）の接触を感知する部位である。このセンサ感知部は、一般には、戸体３の正面及び背面に露出するように設けられるが、本実施形態に示すセンサ感知部は、ハンドル４によって構成されている。即ち、ハンドル４自体がセンサ感知部としても機能する。ハンドル４と制御基盤９１との間は、導線９３により電気的に接続される。このため、このタッチセンサ９は、ハンドル４をセンサ感知部として機能させることにより、使用者によるハンドル４への接触感知を、導線９３を介して制御基盤９１で判断することができる。
【００４４】
制御基盤９１は、センサ感知部であるハンドル４への接触感知により、制御信号としてソレノイド８に通電するように機能する。本実施形態において、制御基盤９１からソレノイド８への通電は、所定時間（例えば３秒）経過後に自動的に停止されるように構成される。このため、ソレノイド８は、通電されてピン８２が収縮した後、所定時間経過後に、付勢ばね８３の付勢力によって、ピン８２を再び元の伸長状態に復帰させるように構成される。
【００４５】
次に、この建具１において、戸体３を開放させる場合の作用について、図４〜図６に示す建具１の動作説明図を参照して説明する。図４は、タッチセンサ９を利用して戸体３を開放させる場合を示し、図５及び図６は、ハンドル４を人手で回転操作して戸体３を開放させる場合を示す。なお、図４及び図６では、ハンドル４及びタッチセンサ９の図示を省略した。
先ず、タッチセンサ９を利用して戸体３を開放させる場合は、ラッチ錠５によりロック状態の戸体３のハンドル４を人体（手）で触れる。これにより、タッチセンサ９が人体（手）の接触を感知し、制御基盤９１からソレノイド８に通電する。
【００４６】
ソレノイド８が通電されると、図４に示すように、ソレノイド８のピン８２が収縮する。これにより、ピン８２に連結されたワイヤ８４が、ラッチ軸部６２をコイルばね６３の付勢力に抗して後方に引っ張り、ラッチボルト６を後方に移動させる。これにより、ラッチ部６１は、ガイド筒部５５にガイドされて前面板５２から退没する。このとき、ラッチ軸部６２は、アーム部材７４の軸係合部７４５を後方に向けて摺動するだけであるため、アーム部材７４が動くことはない。従って、ラッチボルト６が移動しても、リンク機構部７を介してハンドル４が回転することはない。このため、ソレノイド８は、ラッチボルト６を引っ張るだけの小さな力を発生させるだけでよく、消費電力も少なくて済む。
【００４７】
このようにラッチ部６１が退没方向に移動することにより、ラッチ部６１とストライク２５の開口部２５１との係合が解除される。その結果、戸体３は手前に引くだけで開放され、開口部２０を通過可能となる。戸体３を開放させるためにハンドル４を握って回転操作する必要がないため、ハンドル４を握って回転操作することが困難な使用者でも容易に戸体３を開放させることができる。
【００４８】
ラッチ部６１の退没方向の移動の後、所定時間経過後にソレノイド８のピン８２は伸長復帰する。これにより、ラッチ部６１は、コイルばね６３の付勢力によって再び前面板５２から突出する。このため、戸体３を閉めれば、通常通り、ラッチ部６１はカム面６１Ｂ側からストライク２５の開口部２５１内に再び収容されてロックされる。
【００４９】
次に、ハンドル４を回転操作して戸体３を開放させる場合は、図５に示すように、ラッチ錠５によってロック状態の戸体３のハンドル４を手で握って、例えば時計方向に回転操作する。これにより、図６に示すように、ハンドル４の角棒部４２によって軸孔部材７１が回転する。軸孔部材７１の回転により、上側の爪部７１２ａが、上側のスライド板７２１ａに設けられた切欠部７２６の後縁部７２６ａを後方に向けて押圧する。これにより、スライド部材７２は、コイルばね７２４の付勢力に抗して後方に向けて移動する。
【００５０】
スライド部材７２の後方への移動により、切欠部７２６の前縁部７２６ｂが、レバー部材７３の前側縁部７３ａを後方に向けて押圧する。これにより、レバー部材７３は、回動軸７３１を中心に後方に回動する。このレバー部材７３の回動に連動して、連結軸７４３を介して、アーム部材７４がガイドピン５９にガイドされて後方に向けてスライド移動する。アーム部材７４がスライド移動すると、軸係合部７４５がラッチ軸部６２のストッパ部６４を押して、ラッチボルト６をコイルばね６３の付勢力に抗して後方に引っ張る。これにより、ラッチ部６１は、ガイド筒部５５にガイドされて前面板５２から退没する。
【００５１】
このようにラッチ部６１が退没方向に移動することにより、ラッチ部６１とストライク２５の開口部２５１との係合が解除される。その結果、戸体３は開放され、開口部２０が通過可能となる。従って、戸体３を手動で開放させる場合は、通常通りにハンドル４を握って回転操作することにより行うことができる。
【００５２】
ハンドル４の回転操作によってラッチボルト６が退没方向に移動する際、図６に示すように、ワイヤ８４は撓むことができる。即ち、ワイヤ８４は、ハンドル４の回転時にソレノイド８に対してラッチボルト６の退没方向への移動力を作用させない。このため、ソレノイド８に無理な負荷が掛かることがないと共に、ソレノイド８がハンドル４の回転操作やラッチボルト６の退没方向の移動の負荷となることもない。
【００５３】
本発明における移動力伝達手段は、ワイヤ８４に限定されない。例えば、図示しないが、ラッチ軸部６２をストッパ部６４よりも後方に更に延長すると共に、その後端に第２の大径部を形成し、ストッパ部６４と第２の大径部との間の延長されたラッチ軸部６２の外周に、アーム部材７４の軸係合部７４５と同様の軸係合部を設け、この新たな軸係合部とソレノイド８のピン８２との間をプレートやシャフト等によって連結するようにしてもよい。この場合も、ストッパ部６４と第２の大径部との間の距離を適切に設定することにより、ハンドル４の回転時にソレノイド８に対してラッチボルト６の退没方向の移動力を作用させないようにすることができる。
【００５４】
また、以上の実施形態では、ソレノイド８は、通電時にピン８２を収縮させることにより、ラッチボルト６を退没方向へ移動させるように構成したが、これに限定されない。例えば、ソレノイド８を逆向きに配置させることにより、通電時にピン８２を伸長させることにより、ラッチボルト６を退没方向へ移動させるように構成してもよい。
【００５５】
本実施形態に示す建具１では、握り玉タイプのハンドル４を例示したが、これに限定されず、レバータイプのハンドルでもよい。
また、本発明に係る建具は、室内を仕切る壁面に設けられるものに限らず、建物の屋内外を仕切る壁面に設けられるものであってもよい。また、例えば門扉のように屋外に配置されるものであってもよい。
【符号の説明】
【００５６】
１  建具
２５  ストライク（出没体受け）
３  戸体
３ａ  （戸体の）戸先側端面
４  ハンドル（センサ感知部）
６１  ラッチ部（出没体）
８  ソレノイド（移動手段）
８２  ピン
８４  ワイヤ（移動力伝達手段）
９  静電容量式タッチセンサ
【図１】
2019210619.tif 000003
【図２】
2019210619.tif 000004
【図３】
2019210619.tif 000005
【図４】
2019210619.tif 000006
【図５】
2019210619.tif 000007
【図６】
2019210619.tif 000008